【誤訳訂正書】
【提出日】平成25年10月30日(2013.10.30)
【誤訳訂正１】
【訂正対象書類名】特許請求の範囲
【訂正対象項目名】全文
【訂正方法】変更
【訂正の内容】
【特許請求の範囲】
【請求項１】
以下の式（Ｉ）の化合物を含有する発光組成物。
【化１】
2011504525.tif 000001
（式中、コアはナノ粒子コアであり、
Ａは以下から選択される燐光を発する発光団であり、
【化２】
2011504525.tif 000002
（式中、＊はＬ１または該コアへの結合点を示す。）
Ｂはホストであり、
Ｌ１およびＬ２はそれぞれ結合基であり、
ｍは０または１であり、
ｎは０または１であり、
ｐは１〜５０の範囲内の整数であり、
ｑは１〜５０の範囲内の整数であり、
ｘは１〜１００の範囲内の整数であり、ここでｘ≧２の場合、各Ｌ１は同じでも異なっていてもよく、各Ａは同じでも異なっていてもよく、かつ各ｐは同じでも異なっていてもよく、かつ
ｙは１〜１００の範囲内の整数であり、ここでｙ≧２の場合、各Ｌ２は同じでも異なっていてもよく、各Ｂは同じでも異なっていてもよく、かつ各ｑは同じでも異なっていてもよい。）
【請求項２】
該コアは、シルセスキオキサン類、シクロホスファゼン類、トリアジン類、シクロデキストリン類、カリックスアレーン類、フタロシアニン類、およびシリカ粒子からなる群から選択される、請求項１の発光組成物。
【請求項３】
該シルセスキオキサン類は１，３，５，７，９，１１，１３，１５−オクタキス（ジメチルシリルオキシ）ペンタシクロ−［９．５．１．１３，９．１５，１５．１７，１３］−オクタシロキサンを含む、請求項２の発光組成物。
【請求項４】
該発光組成物は、
ある量の式（Ｉ）の第１の化合物、
【化３】
2011504525.tif 000003
（式中、コアはナノ粒子コアであり、
Ａは燐光を発する発光団であり、
Ｂはホストであり、
Ｌ１およびＬ２はそれぞれ結合基であり、
ｍ＝０、ｐ＝１、ｑ＝１、ｘ＝１、かつｙ＝７であり、
各Ｌ２は同じでも異なっていてもよく、各Ｂは同じでも異なっていてもよい。）
ある量の式（Ｉ）の第２の化合物
（式中、ｍ＝０、ｎ＝０、ｐ＝１、ｑ＝１、ｘ＝２、かつｙ＝６であり、
各Ｌ１は同じでも異なっていてもよく、各Ａは同じでも異なっていてもよく、各Ｌ２は同じでも異なっていてもよく、各Ｂは同じでも異なっていてもよい。）、および
ある量の以下の構造を有する第３の化合物
【化４】
2011504525.tif 000004
を含む発光組成物。
【請求項５】
式（Ｉ）の第１の化合物の量が４０モル／モル％〜６０モル／モル％の範囲内であり、かつ式（Ｉ）の第２の化合物の量が１０モル／モル％〜３０モル／モル％の範囲内である、請求項４の発光組成物。
【請求項６】
発光組成物が、以下の式（Ｉ）の化合物を実質的に含む発光組成物。
【化５】
2011504525.tif 000005
（式中、コアはナノ粒子コアであり、
Ａは燐光を発する発光団であり、
Ｂはホストであり、
Ｌ１およびＬ２はそれぞれ結合基であり、
ｍ＝０、ｎ＝０、ｐ＝１、ｑ＝１、ｘ＝１、かつｙ＝７であり、
各Ｌ２は同じでも異なっていてもよく、各Ｂは同じでも異なっていてもよい。）
【請求項７】
発光組成物が、以下の式（Ｉ）の化合物を実質的に含む発光組成物。
【化６】
2011504525.tif 000006
（式中、コアはナノ粒子コアであり、
Ａは燐光を発する発光団であり、
Ｂはホストであり、
Ｌ１およびＬ２はそれぞれ結合基であり、
ｍ＝０、ｎ＝０、ｐ＝１、ｑ＝１、ｘ＝２、かつｙ＝６であり、
各Ｌ１は同じでも異なっていてもよく、各Ａは同じでも異なっていてもよく、各Ｌ２は同じでも異なっていてもよく、各Ｂは同じでも異なっていてもよい。）
【請求項８】
該ホストは、１０００ｇ／モル未満の分子量（ＭＷ）を有する基である、請求項１〜７のいずれか１項の発光組成物。
【請求項９】
該ホストは、芳香族置換アミン、芳香族置換ホスフィン、カルバゾール、３，６−二置換カルバゾール、チオフェン、オキサジアゾール、２−（４−ビフェニルイル）−５−（４−ｔ−ブチルフェニル）−１，３，４−オキサジアゾール（ＰＢＤ）、１，３−ビス（Ｎ，Ｎ−ｔ−ブチル−フェニル）−１，３，４−オキサジアゾール（ＯＸＤ−７）、トリアゾール、３−フェニル−４−（１’−ナフチル）−５−フェニル−１，２，４−トリアゾール（ＴＡＺ）、３，４，５−トリフェニル−１，２，３−トリアゾール、３，５−ビス（４−ｔ−ブチル−フェニル）−４−フェニル［１，２，４］トリアゾール、芳香族フェナントロリン、２，９−ジメチル−４，７−ジフェニル−フェナントロリン（バソキュプロインまたはＢＣＰ）、２，９−ジメチル−４，７−ジフェニル−１，１０−フェナントロリン、ベンゾオキサゾール、ベンゾチアゾール、キノリン、トリス（８−ヒドロキシキノレート）アルミニウム（Ａｌｑ３）、ピリジン、ジシアノイミダゾール、シアノ置換芳香族化合物、１，３，５−トリス（２−Ｎ−フェニルベンゾイミダゾリル）ベンゼン（ＴＰＢＩ）、４，４’−ビス［Ｎ−（ナフチル）−Ｎ−フェニル−アミノ］ビフェニル（α−ＮＰＤ）、Ｎ，Ｎ’−ビス（３−メチルフェニル）Ｎ，Ｎ’−ジフェニル−［１，１’−ビフェニル］−４，４’−ジアミン（ＴＰＤ）、４，４’−ビス［Ｎ，Ｎ’−（３−トリル）アミノ］−３，３’−ジメチルビフェニル（Ｍ１４）、４，４’−ビス［Ｎ，Ｎ’−（３−トリル）アミノ］−３，３’−ジメチルビフェニル（ＨＭＴＰＤ）、１，１−ビス（４−ビス（４−メチルフェニル）アミノフェニル）シクロヘキサン、カルバゾール、４，４’−Ｎ，Ｎ’−ジカルバゾール−ビフェニル（ＣＢＰ）、ポリ（９−ビニルカルバゾール）（ＰＶＫ）、Ｎ，Ｎ’，Ｎ’’−１，３，５−トリカルバゾロイルベンゼン（ｔＣＰ）、ポリチオフェン、ベンジジン、Ｎ，Ｎ’−ビス（４−ブチルフェニル）−Ｎ，Ｎ’−ビス（フェニル）ベンジジン、トリフェニルアミン、４，４’，４’’−トリス（Ｎ−（ナフチレン−２−イル）−Ｎ−フェニルアミノ）トリフェニルアミン、４，４’，４’’−トリス（３−メチルフェニルフェニルアミノ）トリフェニルアミン（ＭＴＤＡＴＡ）、フェニレンジアミン、ポリアセチレン、およびフタロシアニン金属錯体から選択される置換されていてもよい成分を含む、請求項８の発光組成物。
【請求項１０】
該ホストが以下から選択される、請求項８の発光組成物。
【化７】
2011504525.tif 000007
【化８】
2011504525.tif 000008
（式中、Ｒ１はＨまたはＣ１〜Ｃ６のアルキル基である。）
【請求項１１】
該ホストは電子輸送材料である、請求項１〜８のいずれか１項の発光組成物。
【請求項１２】
該電子輸送材料は、トリス（８−ヒドロキシキノレート）アルミニウム（Ａｌｑ３）、２−（４−ビフェニルイル）−５−（４−ｔ−ブチルフェニル）−１，３，４−オキサジアゾール（ＰＢＤ）、１，３−ビス（Ｎ，Ｎ−ｔ−ブチル−フェニル）−１，３，４−オキサジアゾール（ＯＸＤ−７）、３−フェニル−４−（１’−ナフチル）−５−フェニル−１，２，４−トリアゾール（ＴＡＺ）、２，９−ジメチル−４，７−ジフェニル−フェナントロリン（バソキュプロインまたはＢＣＰ）、および１，３，５−トリス［２−Ｎ−フェニルベンゾイミダゾール−ｚ−イル］ベンゼン（ＴＰＢＩ）から選択される置換されていてもよい化合物である、請求項１１の発光組成物。
【請求項１３】
該ホストは正孔輸送材料である、請求項１〜８のいずれか１項の発光組成物。
【請求項１４】
該正孔輸送材料は、４，４’−ビス［Ｎ−（ナフチル）−Ｎ−フェニル−アミノ］ビフェニル（α−ＮＰＤ）、Ｎ，Ｎ’−ビス（３−メチルフェニル）Ｎ，Ｎ’−ジフェニル−［１，１’−ビフェニル］−４，４’−ジアミン（ＴＰＤ）、４，４’−ビス［Ｎ，Ｎ’−（３−トリル）アミノ］−３，３’−ジメチルビフェニル（Ｍ１４）、４，４’，４’−トリス（３−メチルフェニルフェニルアミノ）トリフェニルアミン（ＭＴＤＡＴＡ）、４，４’−ビス［Ｎ，Ｎ’−（３−トリル）アミノ］−３，３’−ジメチルビフェニル（ＨＭＴＰＤ）、Ｎ，Ｎ’，Ｎ’’−１，３，５−トリカルバゾロイルベンゼン（ｔＣＰ）、４，４’−Ｎ，Ｎ’−ジカルバゾール−ビフェニル（ＣＢＰ）、ポリ（９−ビニルカルバゾール）（ＰＶＫ）、３，４，５−トリフェニル−１，２，３−トリアゾール、３，５−ビス（４−ｔ−ブチル−フェニル）−４−フェニル［１，２，４］トリアゾール、２，９−ジメチル−４，７−ジフェニル−１，１０−フェナントロリン、１，１−ビス（４−ビス（４−メチルフェニル）アミノフェニル）シクロヘキサン、Ｎ，Ｎ’−ビス（４−ブチルフェニル）−Ｎ，Ｎ’−ビス（フェニル）ベンジジン、４，４’，４’’−トリス（Ｎ−（ナフチレン−２−イル）−Ｎ−フェニルアミノ）トリフェニルアミン、および銅フタロシアニンから選択される置換されていてもよい化合物である、請求項１３の発光組成物。
【請求項１５】
Ｌ１およびＬ２がそれぞれ独立してＣ１〜Ｃ３０のアルキル基、Ｃ１〜Ｃ３０のアルコキシ基、および
【化９】
2011504525.tif 000009
から選択される、請求項１〜１４のいずれか１項の発光組成物。
【請求項１６】
Ｌ１およびＬ２がそれぞれ独立して一価、二価、三価、四価、または五価の部分を含む、請求項１〜１４のいずれか１項の発光組成物。
【請求項１７】
該二価の部分が以下からなる群から選択される、請求項１６の発光組成物。
【化１０】
2011504525.tif 000010
【請求項１８】
該三価の部分が以下からなる群から選択される、請求項１６の発光組成物。
【化１１】
2011504525.tif 000011
【請求項１９】
該四価の部分が以下である、請求項１６の発光組成物。
【化１２】
2011504525.tif 000012
【請求項２０】
該五価の部分が以下からなる群から選択される、請求項１６の発光組成物。
【化１３】
2011504525.tif 000013
【請求項２１】
該コアが１，３，５，７，９，１１，１３，１５−オクタキス（ジメチルシリルオキシ）ペンタシクロ−［９．５．１．１３，９．１５，１５．１７，１３］−オクタシロキサンであり、
Ａが
【化１４】
2011504525.tif 000014
であり、
Ｂが
【化１５】
2011504525.tif 000015
（式中、＊はＬ２または該コアへの結合点を示す）であり、
Ｌ１がＣ１〜Ｃ６のアルキル基から選択され、
Ｌ２がＣ１〜Ｃ６のアルキル基および
【化１６】
2011504525.tif 000016
から選択され、
ｍが１であり、
ｎが１であり、
ｐが１であり、
ｑが１または３であり、
ｘが１、２、３、または４であり、かつ
ｙが４、５、６、または７である、請求項１の発光組成物。
【請求項２２】
高仕事関数の金属を含有するアノード層、
低仕事関数の金属を含有するカソード層、および
請求項１〜２０のいずれか１項の発光組成物を含有する発光層を備え、ここで該発光層は該アノード層と該カソード層の間に配置されかつ該アノード層と該カソード層に電気的に接続されている、発光素子。
【請求項２３】
該発光層は、白色光を発するように構成されている、請求項２２の発光素子。
【請求項２４】
該発光層は、第２の化合物をさらに含有する、請求項２２または２３の発光素子。
【請求項２５】
該第２の化合物は電子輸送材料である、請求項２４の発光素子。
【請求項２６】
該電子輸送材料はＯＸＤ−７である、請求項２５の発光素子。
【請求項２７】
該第２の化合物は正孔輸送材料である、請求項２４の発光素子。
【請求項２８】
該発光層は、ＣＩＥのｘ座標が０．２８〜０．５０の範囲内にあり、かつＣＩＥのｙ座標が０．２８〜０．５０の範囲内にある光を発する、請求項２２〜２７のいずれか１項の発光素子。
【請求項２９】
該発光層は、ＣＲＩ値が６０〜１００の範囲内にある光を発する、請求項２２〜２８のいずれか１項の発光素子。
【請求項３０】
該発光層は、ＣＲＩ値が８０〜１００の範囲内にある光を発する、請求項２２〜２８のいずれか１項の発光素子。
【請求項３１】
該発光層は、ＣＲＩ値が７０より大きい光を発する、請求項２２〜２８のいずれか１項の発光素子。
【請求項３２】
該高仕事関数の金属は、Ａｕ、Ｐｔ、酸化インジウムスズ（ＩＴＯ）、およびそれらの合金からなる群から選択される、請求項２２〜３１のいずれか１項の発光素子。
【請求項３３】
該低仕事関数の金属は、Ａｌ、Ａｇ、Ｍｇ、Ｃａ、Ｃｕ、Ｍｇ／Ａｇ、ＬｉＦ／Ａｌ、ＣｓＦ、ＣｓＦ／Ａｌ、およびそれらの合金からなる群から選択される、請求項２２〜３２のいずれか１項の発光素子。
【請求項３４】
該アノード層は１ｎｍ〜１０００ｎｍの範囲内の厚みを有する、請求項２２〜３３のいずれか１項の発光素子。
【請求項３５】
該カソード層は１ｎｍ〜１０００ｎｍの範囲内の厚みを有する、請求項２２〜３４のいずれか１項の発光素子。
【請求項３６】
該発光層は３０ｎｍ〜２５０ｎｍの範囲内の厚みを有する、請求項２２〜３５のいずれか１項の発光素子。
【請求項３７】
電子注入層をさらに備える、請求項２２〜３６のいずれか１項の発光素子。
【請求項３８】
該電子注入層は、アルミニウムキノレート（Ａｌｑ３）、２−（４−ビフェニルイル）−５−（４−ｔ−ブチルフェニル）−１，３，４−オキサジアゾール（ＰＢＤ）、フェナントロリン、キノキサリン、および１，３，５−トリス［Ｎ−フェニルベンゾイミダゾール−ｚ−イル］ベンゼン（ＴＰＢＩ）から選択される置換されていてもよい化合物を含有する、請求項３７の発光素子。
【請求項３９】
電子輸送層をさらに備える、請求項２２〜３８のいずれか１項の発光素子。
【請求項４０】
該電子輸送層は、トリス（８−ヒドロキシキノレート）アルミニウム（Ａｌｑ３）、２−（４−ビフェニルイル）−５−（４−ｔ−ブチルフェニル）−１，３，４−オキサジアゾール（ＰＢＤ）、１，３−ビス（Ｎ，Ｎ−ｔ−ブチル−フェニル）−１，３，４−オキサジアゾール（ＯＸＤ−７）、３−フェニル−４−（１’−ナフチル）−５−フェニル−１，２，４−トリアゾール（ＴＡＺ）、２，９−ジメチル−４，７−ジフェニル−フェナントロリン（バソキュプロインまたはＢＣＰ）、および１，３，５−トリス［２−Ｎ−フェニルベンゾイミダゾール−ｚ−イル］ベンゼン（ＴＰＢＩ）から選択される置換されていてもよい化合物を含有する、請求項３９の発光素子。
【請求項４１】
正孔阻止層をさらに備える、請求項２２〜４０のいずれか１項の発光素子。
【請求項４２】
該正孔阻止層は、バソキュプロイン（ＢＣＰ）、３，４，５−トリフェニル−１，２，４−トリアゾール、３，５−ビス（４−ｔ−ブチル−フェニル）−４−フェニル−［１，２，４］トリアゾール、２，９−ジメチル−４，７−ジフェニル−１，１０−フェナントロリン、および１，１−ビス（４−ビス（４−メチルフェニル）アミノフェニル）シクロヘキサンから選択される置換されていてもよい化合物を含有する、請求項４１の発光素子。
【請求項４３】
励起子阻止層をさらに備える、請求項２２〜４２のいずれか１項の発光素子。
【請求項４４】
該励起子阻止層は、アルミニウムキノレート（Ａｌｑ３）、４，４’−ビス［Ｎ−（ナフチル）−Ｎ−フェニル−アミノ］ビフェニル（α−ＮＰＤ）、４，４’−Ｎ，Ｎ’−ジカルバゾール−ビフェニル（ＣＢＰ）、およびバソキュプロイン（ＢＣＰ）から選択される置換されていてもよい化合物を含有する、請求項４３の発光素子。
【請求項４５】
正孔輸送層をさらに備える、請求項２２〜４４のいずれか１項の発光素子。
【請求項４６】
該正孔輸送層は、４，４’−ビス［Ｎ−（ナフチル）−Ｎ−フェニル−アミノ］ビフェニル（α−ＮＰＤ）、Ｎ，Ｎ’−ビス（３−メチルフェニル）Ｎ，Ｎ’−ジフェニル−［１，１’−ビフェニル］−４，４’−ジアミン（ＴＰＤ）、４，４’−ビス［Ｎ，Ｎ’−（３−トリル）アミノ］−３，３’−ジメチルビフェニル（Ｍ１４）、４，４’，４’−トリス（３−メチルフェニルフェニルアミノ）トリフェニルアミン（ＭＴＤＡＴＡ）、４，４’−ビス［Ｎ，Ｎ’−（３−トリル）アミノ］−３，３’−ジメチルビフェニル（ＨＭＴＰＤ）、Ｎ，Ｎ’，Ｎ’’−１，３，５−トリカルバゾロイルベンゼン（ｔＣＰ）、４，４’−Ｎ，Ｎ’−ジカルバゾール−ビフェニル（ＣＢＰ）、ポリ（９−ビニルカルバゾール）（ＰＶＫ）、３，４，５−トリフェニル−１，２，３−トリアゾール、３，５−ビス（４−ｔ−ブチル−フェニル）−４−フェニル［１，２，４］トリアゾール、２，９−ジメチル−４，７−ジフェニル−１，１０−フェナントロリン、１，１−ビス（４−ビス（４−メチルフェニル）アミノフェニル）シクロヘキサン、カルバゾール、ポリチオフェン、ベンジジン、Ｎ，Ｎ’−ビス（４−ブチルフェニル）−Ｎ，Ｎ’−ビス（フェニル）ベンジジン、トリフェニルアミン、フェニレンジアミン、４，４’，４’’−トリス（Ｎ−（ナフチレン−２−イル）−Ｎ−フェニルアミノ）トリフェニルアミン、オキサジアゾール、ポリアセチレン、およびフタロシアニン金属錯体から選択される置換されていてもよい化合物を含有する、請求項４５の発光素子。
【請求項４７】
正孔注入層をさらに備える、請求項２２〜４６のいずれか１項の発光素子。
【請求項４８】
該正孔注入層は、ポリチオフェン、ポリ（エチレンジオキシチオフェン）（ＰＥＤＯＴ）／ポリスチレンスルホン酸（ＰＳＳ）、ベンジジン、Ｎ，Ｎ，Ｎ’，Ｎ’−テトラフェニルベンジジン、ポリ（Ｎ，Ｎ’−ビス（４−ブチルフェニル）−Ｎ，Ｎ’−ビス（フェニル）ベンジジン）、トリフェニルアミン、フェニレンジアミン、Ｎ’−ビス（４−メチルフェニル）−Ｎ，Ｎ’−ビス（フェニル）−１，４−フェニレンジアミン、４，４’，４’’−トリス（Ｎ−（ナフチレン−２−イル）−Ｎ−フェニルアミノ）トリフェニルアミン、オキサジアゾール、３−ビス（５−（４−ジフェニルアミノ）フェニル−１，３，４−オキサジアゾール−２−イル）ベンゼン、ポリアセチレン、ポリ（１，２−ビス−ベンジルチオ−アセチレン）、およびフタロシアニン金属錯体から選択される置換されていてもよい化合物を含有する、請求項４７の発光素子。
【請求項４９】
湿式法により該発光層を形成することを備える、請求項２２の発光素子の製造方法。
【請求項５０】
該湿式法は、噴霧、スピンコーティング、ドロップキャスティング、インクジェット印刷、およびスクリーン印刷からなる群から選択される、請求項４９の製造方法。
【誤訳訂正２】
【訂正対象書類名】明細書
【訂正対象項目名】００１１
【訂正方法】変更
【訂正の内容】
【００１１】
ここに記載するもう１つの実施形態は発光素子に関する。該発光素子は、高仕事関数の金属を含有するアノード層、低仕事関数の金属を含有するカソード層、および該アノード層と該カソード層の間に配置されかつ該アノード層と該カソード層に電気的に接続されている発光層を有することができ、ここで該発光層は、上述したような発光団で官能化されたナノ粒子またはその組成物を含有することができる。一実施形態において、発光団で官能化されたナノ粒子は式（Ｉ）によって表される。一実施形態において、発光団で官能化されたナノ粒子は、有機−無機発光団官能化ナノ粒子である。一実施形態において、有機−無機発光団官能化ナノ粒子は、無機元素（例えばリン（Ｐ）、ケイ素（Ｓｉ）、および／または金属）を含むナノ粒子コアを有する。例えば、一実施形態において、ナノ粒子コアは、シルセスキオキサン類、シクロホスファゼン類、トリアジン類、シクロデキストリン類、カリックスアレーン類、フタロシアニン類、およびシリカ粒子からなる群から選択される部分を有する。
【誤訳訂正３】
【訂正対象書類名】明細書
【訂正対象項目名】００５４
【訂正方法】変更
【訂正の内容】
【００５４】
「コア」は、本開示に従い直接またはリンカーを介して２つ以上の発光団および／またはホストを結合し、それにより複数の発光団および／またはホストを有するナノ粒子を形成する、ナノ粒子の一部である。同じナノ粒子の発光団同士および／またはホスト同士の物理的相互作用を減らしまたはなくすため、そして同じナノ粒子の発光団の発光状態がデカップリング（減結合）されるのを解消するため、十分な大きさをコアは典型的に有するものである。ある実施形態において、コアおよび／またはリンカーは、ナノ粒子における複数の発光団および／またはホストのそれぞれの拡張共役が、他の発光団および／またはホストのものから切り離されるよう、構成される。典型的なコアは、５〜１００の原子を有することができ、約０．１〜約１０ｎｍの範囲の断面寸法を有することができる。例えば、コアは、シルセスキオキサン類、シクロホスファゼン類、トリアジン類、シクロデキストリン類、カリックスアレーン類、フタロシアニン類、またはシリカ粒子とすることができる。ある実施形態において、コアは、１０〜９０の原子、３０〜８０の原子、または４０〜６０の原子を有することができる。ある実施形態において、コアは、約０．２〜約９ｎｍ、約０．５〜約８ｎｍ、約１〜約７ｎｍの範囲の断面寸法を有することができる。
【誤訳訂正４】
【訂正対象書類名】明細書
【訂正対象項目名】００９８
【訂正方法】変更
【訂正の内容】
【００９８】
ある実施形態において、発光層は、ここに記載されるような発光団官能化ナノ粒子またはその組成物を含有する。例えば、ある実施形態において、発光層は、１種以上の発光団官能化ナノ粒子（例えば燐光を発する発光団官能化ナノ粒子）を含有する。一実施形態において、発光団官能化ナノ粒子は式（Ｉ）によって表される。一実施形態において、発光団官能化ナノ粒子は、有機−無機発光団官能化ナノ粒子である。一実施形態において、有機−無機発光団官能化ナノ粒子は、無機元素、例えばリン（Ｐ）、ケイ素（Ｓｉ）、および／または金属を含むナノ粒子コアを有する。例えば、一実施形態において、ナノ粒子コアは、シルセスキオキサン類、シクロホスファゼン類、トリアジン類、シクロデキストリン類、カリックスアレーン類、フタロシアニン類、およびシリカ粒子からなる群から選択される部分を有する。ある実施形態において、発光層は、複数種のホスト／発光団官能化ナノ粒子の混合物を含有する。